(57)【特許請求の範囲】
【請求項１】
投影光を出射する投影用光源と、遮光性円板体の中心から特定の半径位置の同一円周状に透光パターンからなる投影用視標パターンが複数配列されてなる投影用視標パターン列を有する検眼視標投影用ターゲット板と、該ターゲット板の前記投影用視標パターン列が形成されている円周上に前記投影光を投射する光路手段と、前記ターゲット板をその中心を回転中心に回転駆動して前記投影光が投射される投影用視標パターンを選択する回転駆動手段と、前記ターゲット板の投影用視標パターンを前記投影光が通過して形成される投影像をスクリーンに結像させる対物光学系とを有する検眼視標投影装置であって、
前記検眼視標投影用ターゲット板を、該ターゲット板の中心からの半径位置が異なる複数の円周上にそれぞれ異なる投影用視標パターン列が設けられたもので構成し、
前記投影光の光源からスクリーンに至るまでの投影光の光路上に前記投影用視標パターン列のいずれかを選択して位置させるパターン列選択手段を設け、
前記パターン列選択手段は、前記投影光を前記複数の投影用視標パターン列が位置するいずれか２以上の直線又は曲線上に位置するように投射してそれぞれの投影用視標パターンを通過した互いに光路の異なる２以上の光線束を形成する投影光線束形成手段と、これら光線束のいずれか１を選択して投影用対物光学系に導入する投影光線束選択手段とを有するとともに、このパターン列選択手段は、前記検眼視標投影用ターゲット板と投影光との相対位置を移動させて、前記投影光の光源からスクリーンに至るまでの投影光の光路上に前記投影用視標パターン列のいずれかを選択して位置させるパターン列移動手段を有するものであり、
前記投影光線束選択手段は、対物光学系の光路方向と異なる方向からの光線束を反射して対物光学系に導入する第１のミラーと、前記投影用視標パターンを通過した光線束を反射して前記第１のミラーに送出する第２のミラーと、前記対物光学系と前記第１のミラーとの光軸を一致させて該光軸を回転軸にして前記第１のミラーと第２のミラーとを一体にして回転させる回転機構とを有し、前記第１のミラーと第２のミラーとを一体にして回転させることによって、前記投影用視標パターンを通過した互いに光路の異なる２以上の光線束のうちの任意の光線束を選択して前記対物光学系に導入できるようにしたものであり、かつ、前記第１、第２のミラーを回転させて前記任意の光線束のうちの特定の光線束を選択したときに、これらミラーの反射によって前記投影用視標パターンの偏光状態を変化させない回転角度位置に前記第１、第２のミラーが設定されるようにしたことを特徴とする検眼視標投影装置。
【請求項２】
前記投影光の光源からターゲット板に至るまでの投影光の光路上に配置されて、前記ターゲット板に形成された個々の視標投影用パターンの一部を遮蔽して必要な部分のみを投影できるようにする透光貫通パターンを備えたマスク板であって、
前記透光貫通パターンは、前記ターゲット板に形成された個々の視標投影用パターンに対応して、前記マスク板の中心からの半径位置が異なる複数の円周上に多数設けられているものであるが、前記ターゲット板に形成された個々の視標投影用パターンのうちのいくつかのパターンに対応する部位は透光貫通パターンが形成されていない、いわば全遮光パターンともいうべき領域が設けられているものであることを特徴とする請求項１に記載の検眼視標投影装置。
【請求項３】
前記検眼視標投影用ターゲット板が、遮光性板状体に透光パターンからなる投影用視標パターンが形成されたものあって、前記遮光性板状体がガラス基板にクロム膜を形成したものであり、前記投影用視標パターンは前記クロム膜の一部を選択的に除去してパターンを形成したものであることを特徴とする請求項１または２に記載の検眼視標投影装置。
【発明の詳細な説明】
【０００１】
【発明の属する技術分野】
本発明は、検眼に用いる視標を投影する検眼視標投影方法及びその装置並びに検眼視標投影用ターゲット板に関する。
【０００２】
【従来の技術】
視力検査等の検眼を行う際には、視力表が用いられる。この視力表は、検眼に必要な種々の視標を有するものであり、被検者から適切な距離だけ離れた位置に呈示される。この視力表としては、ロール状の紙面上に必要な視標を配列し、紙面を照明しながら検眼するようにしたものや、半透明の部材に視標を配列して背面から照明するようにしたものの外に、投影式視力表（チャートプロジェクター）が知られている。
【０００３】
投影式視力表（チャートプロジェクター）は、必要な投影用視標パターンが形成された検眼視標投影用ターゲット板の視標投影像をスクリーンに結像するという方式の視力表である。この方式の視力表は比較的小型コンパクトで扱いやすいという利点を有することから最近用いられる機会が多くなってきた。
【０００４】
【発明が解決しようとする課題】
ところで、投影式視力表は、投影方式であるために他の方式に比較すると輝度や精密さにおいては難点があるといわれてきた。また、この方式は他の方式に比較すると視標の数を多くしやすいが、最近では視標の数をより増やしたいという要請も高まっている。
【０００５】
本発明は、上述した背景のもとでなされたものであり、より多種類の視標をより精密に呈示することを可能にする検眼視標投影方法及びその装置並びに検眼視標投影用ターゲット板を提供することを目的とする。
【０００６】
【課題を解決するための手段】
上述の課題を解決するために、
請求項１の発明は、
遮光性板状体に透光パターンからなる投影用視標パターンが形成された検眼視標投影用ターゲット板を用い、該ターゲット板の前記投影用視標パターンを通して投影光を投射して投影スクリーンに視標パターンの投影像を形成するようにした検眼視標投影方法であって、
前記検眼視標投影用ターゲット板に、前記投影用視標パターンが前記ターゲット板上の特定の直線又は曲線上に位置するように複数配列される投影用視標パターン列を形成するとともに、前記検眼視標投影用ターゲット板に対する投影光の投射位置を前記特定の直線又は曲線上において任意に選択できるように前記投影光とターゲット板との相対位置を変えることができるようにして、前記投影用視標パターン列の中から任意の視標パターンを選択して投影できるようにした検眼視標投影方法において、
前記検眼視標投影用ターゲット板に前記投影用視標パターン列を複数設け、該パターン列の中から任意のパターン列を選択してその中の任意の視標パターンを選択して投影できるようにしたことを特徴とする検眼視標投影方法である。
【０００７】
請求項２の発明は、
遮光性円板体の中心から特定の半径位置の同一円周状に透光パターンからなる投影用視標パターンが複数配列されてなる投影用視標パターン列を有する検眼視標投影用ターゲット板を用い、投影光が前記ターゲット板の前記投影用視標パターン列が形成されている円周上に投射されるようにするとともに、前記円板体を該円板体の中心を回転中心にして回転することによって、投影スクリーンに前記投影用視標パターン列の中から任意の視標パターンを選択して投影できるようにした検眼視標投影方法において、
前記検眼視標投影用ターゲット板に、該ターゲット板の中心からの半径位置が異なる複数の円周上にそれぞれ異なる投影用視標パターン列を設け、前記複数の投影用視標パターン列の中から任意のパターン列を選択してその中の任意の視標パターンを選択して投影できるようにしたことを特徴とする検眼視標投影方法である。
【０００８】
請求項３の発明は、
前記スクリーンに投影すべき視標パターンの選択は、前記投影光の光源からスクリーンに至るまでの投影光の光路上に前記投影用視標パターン列のいずれかを位置させるパターン列選択操作と、前記投影用視標パターン列の中のいずれかの投影用視標パターンを前記投影光の光路上に選択して位置させる投影用視標パターン選択操作とを有する方法で行うことを特徴とする請求項１又は２に記載の検眼視標投影方法である。
【０００９】
請求項４の発明は、
前記投影用視標パターン列選択操作は、投影光を前記複数の投影用視標パターン列が位置するいずれか２以上の直線又は曲線上に位置するように投射してそれぞれの投影用視標パターンを通過した互いに光路の異なる２以上の光線束を形成し、これら光線束のいずれか１を選択して投影用対物光学系に導入する操作であることを特徴とする請求項３に記載の検眼視標投影方法である。
【００１０】
請求項５野は発明は、
前記投影用視標パターン列選択操作は、前記検眼視標投影用ターゲット板と投影光との相対位置を移動させて、前記投影光の光源からスクリーンに至るまでの投影光の光路上に前記投影用視標パターン列のいずれかを選択して位置させる操作であることを特徴とする請求項３に記載の検眼視標投影方法である。
【００１１】
請求項６の発明は、
投影光を出射する投影用光源と、遮光性板状体に透光パターンからなる投影用視標パターンが形成された検眼視標投影用ターゲット板と、前記投影光を前記ターゲット板の投影用視標パターンに投射する光路手段と、前記投影用視標パターンを投影光が通過して形成される投影像をスクリーンに結像させる対物光学系とを有する検眼視標投影装置であって、
前記検眼視標投影用ターゲット板は、前記投影用視標パターンが前記ターゲット板上の特定の直線又は曲線上に複数配列されてなる投影用視標パターン列が複数列形成されたものであり、
前記投影光の光源からスクリーンに至るまでの投影光の光路上に前記投影用視標パターン列のいずれかを選択して位置させるパターン列選択手段と、
前記投影用視標パターン列の中のいずれかの投影用視標パターンを前記投影光の光路上に選択して位置させる投影用視標パターン選択手段とを有することを特徴とする検眼視標投影装置である。
【００１２】
請求項７の発明は、
投影光を出射する投影用光源と、遮光性円板体の中心から特定の半径位置の同一円周状に透光パターンからなる投影用視標パターンが複数配列されてなる投影用視標パターン列を有する検眼視標投影用ターゲット板と、該ターゲット板の前記投影用視標パターン列が形成されている円周上に前記投影光を投射する光路手段と、前記ターゲット板をその中心を回転中心に回転駆動して前記投影光が投射される投影用視標パターンを選択する回転駆動手段と、前記ターゲット板の投影用視標パターンを前記投影光が通過して形成される投影像をスクリーンに結像させる対物光学系とを有する検眼視標投影装置であって、
前記検眼視標投影用ターゲット板は、該ターゲット板の中心からの半径位置が異なる複数の円周上にそれぞれ異なる投影用視標パターン列が設けられたものであり、前記投影光の光源からスクリーンに至るまでの投影光の光路上に前記投影用視標パターン列のいずれかを選択して位置させるパターン列選択手段を有することを特徴とする検眼視標投影装置である。
【００１３】
請求項８のは発明は、
前記パターン列選択手段は、前記投影光を前記複数の投影用視標パターン列が位置するいずれか２以上の直線又は曲線上に位置するように投射してそれぞれの投影用視標パターンを通過した互いに光路の異なる２以上の光線束を形成する投影光線束形成手段と、これら光線束のいずれか１を選択して投影用対物光学系に導入する投影光線束選択手段とを有するものであることを特徴とする請求項６又は７に記載の検眼視標投影装置である。
【００１４】
請求項９の発明は、
前記投影用視標パターン列選択手段は、前記検眼視標投影用ターゲット板と投影光との相対位置を移動させて、前記投影光の光源からスクリーンに至るまでの投影光の光路上に前記投影用視標パターン列のいずれかを選択して位置させるパターン列移動手段を有するものであることを特徴とする請求項６又は７に記載の検眼視標投影装置である。
【００１５】
請求項１０の発明は、
前記投影光線束選択手段は、対物光学系の光路方向と異なる方向からの光線束を反射して対物光学系に導入する第１の反射手段と、前記投影用視標パターンを通過した光線束を反射して前記第１の反射手段に送出する第２の反射手段と、前記対物光学系と前記第１の反射手段との光軸を一致させて該光軸を回転軸にして前記第１の反射手段と第２の反射手段とを一体にして回転させる回転機構とを有し、前記第１の反射手段と第２の反射手段とを一体にして回転させることによって、前記投影用視標パターンを通過した互いに光路の異なる２以上の光線束のうちの任意の光線束を選択して前記対物光学系に導入できるようにしたものであることを特徴とする請求項８に記載の検眼視標投影装置である。
【００１６】
請求項１１の発明は、
遮光性板状体に透光パターンからなる投影用視標パターンが形成された検眼視標投影用ターゲット板であって、
前記遮光性板状体がガラス基板にクロム膜が形成されたでものであり、前記投影用視標パターンは前記クロム膜の一部を選択的に除去してパターンを形成したものであることを特徴とする検眼視標投影用ターゲット板である。
【００１７】
請求項１２の発明は、
遮光性円板体の中心から特定の半径位置の同一円周状に透光パターンからなる投影用視標パターンが複数配列されてなる投影用視標パターン列を有する検眼視標投影用ターゲット板であって、
前記投影用視標パターン列が該ターゲット板の中心からの半径位置が異なる複数の円周上にそれぞれ設けられていることを特徴とする検眼視標投影用ターゲット板である。
【００１８】
【実施の形態】
図１は本発明の実施例にかかる検眼視標投影装置の概略構成を示す図であり、図２は実施例にかかる検眼視標投影装置の外観斜視図、図３は実施例にかかる検眼視標投影装置の部分断面図、図４ないし図６は実施例にかかる検眼視標投影装置の分解図、図７及び図８は実施例にかかる検眼視標投影装置の部分図、図９及び図１０は実施例にかかる検眼視標投影装置の部分説明図、図１１ないし図１３は実施例にかかる検眼視標投影装置に検眼視標投影用ターゲット板として用いられるターゲット板の説明図、図１４は実施例にかかる検眼視標投影装置に用いられるマスク板の説明図である。以下、これらの図面を参照にしながら、実施例の検眼視標投影装置を説明する。
【００１９】
図１に示されるように、この実施例の検眼視標投影装置は、投影用光源１から出射した光を２つのミラー２ａ，２ｂによって反射させ、コンデンサーレンズ３ａ，３ｂによって２つの投影光線束にしてマスク板４及びターゲット板５の半径方向における異なる２つの位置に投射し、それぞれの位置への投射によって各々１群の視標投影像を形成できるようにし、その２群の視標投影像群のうちのいずれかをミラーユニット６によって選択して対物レンズ７に導入できるようにして、スクリーン８に結像させるものである。そして、選択された投影像群の中から特定の視標投影像を選択する操作を、マスク板４及びターゲット板５をそれぞれ回転制御することによって行うものである。
【００２０】
図４に示されるように、光源１はハロゲンランプ等によって構成され、ランプハウス１２の中心部に配置される。ミラー２ａ，２ｂは上記光源１を囲むように互いに直交してランプハウス１２内に配置される。したがって、光源１から出射した光はミラー２ａ，２ｂに反射されてこれらミラー反射領域で規制される発散光線束となって図中左方に進行してコンデンサーレンズ３ａ，３ｂに入射される。
【００２１】
コンデンサーレンズ３ａ，３ｂは、ともに上記発散光線束内にあって上記発散光線束をそれぞれ別個の投影用光線束にして２つの投影光を形成するものである。図５に示されるように、コンデンサーレンズ３ａ，３ｂは、それぞれ複数のレンズ群で構成されており、マスク板４及びターゲット板５を収納するターゲットケース４５のベースケース４５ａに形成されたレンズケース３０ａ，３０ｂにそれぞれ収納されている。レンズケース３０ａ，３０ｂは、上記ターゲットケース４５に収納されたマスク板４及びターゲット板５に対してその半径方向において異なる位置に上記コンデサーレンズ３ａ，３ｂから出射される投影光が投射されるような配置関係で形成されている。
【００２２】
マスク板４及びターゲット板５はターゲットケース４５内に収納され、同軸的に配置されているが互いに独立的に回転制御可能に支持されている円板体であり、ともに遮光性円板の同一円周上に多数の単位透光パターンが形成されたものである。
【００２３】
マスク板４は、ターゲット板５に形成された個々の視標投影用パターンの一部を遮蔽して必要な部分のみを投影できるようにするマスクである。図１４はマスク板４の平面図であり、中心から半径ｒ1 の位置の円周上に透光パターンを有する多数の単位マスクパターンからなる第１のマスクパターン列４ａが形成され、中心から半径ｒ2 の位置の円周上に同様に第２のマスクパターン列４ｂが形成されたものである。このマスク板４は直径１５０ｍｍ、厚さ０．２５ｍｍのアルミニウム板にフォトエッチング法によって透光貫通パターンを形成したものである。なお、第１のマスクパターン列４ａ及び第２のマスクパターン列４ｂには、透光パターンのないパターン、いわば全遮光パターンともいうべき領域が設けられている。これは、投影視標の切り替えの際にターゲット板５自身の慣性によって投影像が揺れる場合があり、被検者に不快感を与えるおそれがあるので、ターゲット板５が回転している間マスク板４によって遮光して揺れが見えないようにするためである。
【００２４】
ターゲット板５は、上記コンデンサレンズ３ａ，３ｂからの投影光をうけて検眼視標の投影像を形成するものである。
【００２５】
図１１はターゲット板５の平面図であり、中心から半径ｒ1 の位置の円周上に透光パターンを有する多数の単位投影用視標パターンからなる第１の投影用視標パターン列５ａが形成され、中心から半径ｒ2 の位置の円周上に同様に第２の投影用視標パターン列５ｂが形成されている。このターゲット板５は半径１４８ｍｍ、厚さ１．５ｍｍのガラス板の表面に約０．１５μｍ厚の遮光性クロム膜を形成し、このクロム膜に、フォトエッチング法等によってその一部をパターン状に除去して透光パターン（透光部と遮光部とで構成されるパターン）を形成したものである。図１２及び図１３は単位投影用視標パターンの例を示す図であり、図１２に示される視標はレッドグリーンテスト用であり、図１３に示される視標はランドルト氏環である。
【００２６】
図５及び図８に示されるように、マスク板４及びターゲット板５には、それぞれ軸部材４０１及び５０１が固着され、これら軸部材の軸線にそって形成された中心軸孔にはそれぞれステッピングモータ４１及び５１の回転軸４１１及び５１１が挿通固定されている。そして、マスク板４及びターゲット板５は、コントロール基板９（図１参照）の指令に基づいてステッピングモータ４１及び５１によって回転制御がなされるようになっている。なお、上記マスク板４及びターゲット板５の軸部材４０１及び５０１には基準位置検知板４０２及び５０２がそれぞれ取り付けられており、上記ターゲットケース４５には上記基準位置検知板４０２及び５０２の位置を検知してその検知信号をコントロール基板９に送出する検知器４０３及び５０３がそれぞれ設けられている。
【００２７】
ターゲット板５によって形成された視標投影像（投影光線束）はミラーユニット６によって対物レンズ７に導かれる。ミラーユニット６は、互いの反射面が相対向して平行になるように２つのミラー６ａ及び６ｂがミラーユニット本体６０に固定されている。図６に示されるように、このミラーユニット本体６０の一方の端部（上端部）は、対物レンズ７の光軸とその回転軸を共通にする回転筒６０１に固定され、この回転筒６０１は固定部に取り付けられた軸受部材６０２に軸受６０３及び６０４を介して回転自在に支持されている。回転筒６０１はその端部に歯部６２２が形成され、この歯部６２２にベルト６２の一方の歯部６２ａが係合され、このベルト６２の他方の歯部６２ｂは歯付きプーリ６２１の歯に係合され、さらに、プーリ６２１はステッピングモータ６１の回転軸６１１に嵌合固定されている。なお、プーリ６２１には回転基準位置検知板６２３が固定されており、固定部に固定された回転基準位置検知器６２３（図７参照）との協同作用によって回転基準位置が検知されてその信号がコントロール基板９に送出されるようになっている。これにより、回転筒６０１にその上端が固定されたミラーユニット６はコントロール基板９の指令信号に基づいて対物レンズの光軸と共通する回転軸のまわりに所定の回転制御がなされるようになっている。
【００２８】
図５に示されるように、上記ミラーユニット本体６の下端部の開口部はターゲットケース４５の蓋ケース４５ｂの窓部４５１ｂ及びベースケース４５ａに形成された切欠部４５１ａを通してターゲット板５の第１の投影用視標パターン列５ａ又は第２の投影用視標パターン列５ｂと対向する位置に配置されるようになっている。すなわち、コントロール基板９からの指令信号によってステッピングモータ６１を回転制御し、ベルト６２を介して回転筒６０１を回転してミラーユニット本体６０を回転することによって、ミラーユニット本体６０の下端部の開口部がターゲット板５の第１の投影用視標パターン列５ａ又は第２の投影用視標パターン列５ｂのいずれかに対向する位置に配置されるかを選択できるようになっている。
【００２９】
図９はこの選択操作の説明図であり、ミラーユニット本体６０を回転することによって、ミラーユニット６の光軸がＡで示される位置にある場合とＢの位置にある場合とに切り替えることができるようになっている。ミラーユニット６の光軸がＡで示される位置にある場合には、ミラーユニット６はターゲット板５の第１の投影用視標パターン列５ａにある投影用視標パターンの投影像を対物レンズ７に導入し、ミラーユニット６の光軸がＢで示される位置にある場合には、第２の投影用視標パターン列５ｂにある投影用視標パターンの投影像を対物レンズ７に導入する。いずれの場合においても投影用視標パターンの投影像の光路は図１０に示されるようになる。
【００３０】
ここで、両眼視検査の１つとして、第２視標パターン列の中にある偏光視表を用いる検査がある。この偏光視標は、視標パターンの一部に直線偏光板がはられ、他の一部にこの直線偏光板の偏光軸と直交する偏光軸を有する偏光板がはられたものである。この視標の投影像はこのターゲット板を通して形成された偏光光の像である。検眼は、被検眼者の左右の眼の前に偏光軸が互いに直交する偏光板をそれぞれ配置してこれら偏光板を通して投影像をみることによって行われる。もし、ターゲット板５とスクリーン８との間の光路途中で偏光状態が変化すると、この検査に支障をきたすことになる。この実施例では、ミラーユニット６の光軸がＢで示される位置の場合にその光軸の方向が偏光視標の偏光状態を変化させない角度に設定されている。
【００３１】
図６に示されるように、対物レンズ７は複数のレンズ群によって構成され、中間リング７０２及び固定リング７０１によって対物レンズ収納筒７１に収納固定され、この対物レンズ収納筒７１が固定部材７２に固定されている。この対物レンズ７は上記ミラーユニットによって導入された投影用視標パターン像をスクリーン８に結像するものである。
【００３２】
なお、上記ターゲットケース４５、ミラーユニット６、対物レンズ７等の機構部は固定部材に固定され、この固定部材は支柱１００に支持されて基台１１０に固定されている。また、上記機構部は前面カバー１１１、側面カバー１１２及び１１３によって覆われるようになっている。
【００３３】
以上の構成において、ミラーユニット６をターゲット板５の第１の投影用視標パターン列５ａにある投影用視標パターンの投影像が対物レンズ７に導入されるように選択しておいて、ターゲット板５を回転制御すると、第１の投影用視標パターン列５ａの中の所望の投影用視標パターンをスクリーン投影することができ、一方、ミラーユニット６をターゲット板５の第２の投影用視標パターン列５ｂにある投影用視標パターンの投影像を対物レンズ７に導入するように選択しておいて、ターゲット板５を回転制御すると、第２の投影用視標パターン列５ｂの中の所望の投影用視標パターンをスクリーンに投影することができる。したがって、ミラーユニット６の設定位置の選択操作とターゲット板５の回転制御とを組み合わせることによって、ターゲット板５の全ての投影用視標パターンの中から目的の視標パターンを自在に選択してスクリーンに投影することが可能となる。しかも、この操作に加えてマスク板４の回転制御を行うことにより、１つの投影用視標パターンの一部のみを選択して投影することもできる。
【００３４】
上述の実施例によれば、以下の利点がある。
【００３５】
ターゲット板５に２列の投影用視標パターン列５ａ，５ｂを設け、これらのパターン列の中から任意のパターン列を選択してその中の任意の視標パターンを選択して投影できるようにしたことにより、１枚のターゲット板により多種類の視標を設けることができる。これにより、従来は、測定によってはターゲット板を取り替える必要のあったものでも取り替えずに測定できるようになった。
【００３６】
また、実施例においては２つのミラーを備えたミラーユニットの一端部を対物レンズの光軸を中心に回転することによって光路の切り替えを行うようにして切り替えによって光路長が変化しないようにしているので、切り替えによって光路長が変化する他の方式に比較して光路長補正手段を設ける必要がない。
【００３７】
さらに、ターゲット板５を、ガラス板にクロム遮光膜を形成し、これにフォトエッチング等によって透光パターンを形成したもので構成したことにより、極めて高精度のパターンを得ることができ、かつ、熱膨張によるパターンの変動が著しく少なく、さらには、物理的・機械的・化学的耐久性に著しく優れているので、経年変化がなく、長期間安定して使用できる等の優れた利点を得ている。
【００３８】
なお、上述の実施例では、本願発明のパターン列選択操作又は手段として、投影光を複数の投影用視標パターン列が位置するいずれか２以上の直線又は曲線上に位置するように投射してそれぞれの投影用視標パターンを通過した互いに光路の異なる２以上の光線束を形成する投影光線束形成手段と、これら光線束のいずれか１を選択して投影用対物光学系に導入する投影光線束選択手段とを有するものの１例であり、ミラーユニット６を回転することによって光線束を選択する例を示したが、これは、図１５に示すように、１つのミラー６５１を平行移動するようにしてもよい。但し、この場合、切り替えによって光路長が変化するので、その補正のために光路長補正用レンズ３５１を用いる必要がある。また、図１６に示すように、平行に配置されたミラー６５２及び６５３のうちの一方のミラー６５３を移動可能にし、ミラー６５３を光路からはずすことによって切り替えるようにしてもよい。すなわち、ミラー６５３が光路に配置されている場合にはミラー６５３によってその背面に至る投影像は遮断し、一方、ミラー６５２によって反射された投影像がミラー６５３に反射されて対物レンズに導かれる。これに対して、ミラー６５３を光路からはずすとターゲット板５を通過して直進する投影像のみが対物レンズに導かれ、切り替えが行われる。さらには、図１７に示すように、対物レンズ７の光軸を対称軸にして対称な直線上を進行する２つの投影光線束を作り、それぞれを２つのミラー６５４及び６５５によって対物レンズ７の光軸に直交する１つの直線上を進行する光線束にした後、上記対物レンズ７の光軸と直交する軸を回転軸にして回転するミラー６５６に導いてこのミラー６５６を回転することによっていずれかを選択して対物レンズ７に導くようにしてもよい。
【００３９】
また、図１８に示すように、投影用視標パターン列選択手段として、検眼視標投影用ターゲット板と投影光との相対位置を移動させて、投影光の光源からスクリーンに至るまでの投影光の光路上に前記投影用視標パターン列のいずれかを選択して位置させるようにしてもよい。
【００４０】
さらに、検眼視標投影用ターゲット板としては必ずしも円板形状のものでなくてもよく、長方形状の板体にその長手方向にそった直線上に複数の投影用視標パターンを形成したパターン列を平行に複数列形成したものでもよい。
【００４１】
【発明の効果】
以上詳述したように、本発明は、検眼視標投影用ターゲット板に投影用視標パターン列を複数設け、該パターン列の中から任意のパターン列を選択してその中の任意の視標パターンを選択して投影できるようにしたもので、これにより、より多種類の視標の投影を可能とし、また、検眼視標投影用ターゲット板をガラス基板にクロム膜が形成してこのクロム膜に透光パターンを形成したもので構成することによってパターン精度が高くまた温度依存性が低いので精度の高い投影像が得られかつ耐久性に優れた検眼視標投影用ターゲット板を得ることを可能にしたものである。
【図面の簡単な説明】
【図１】本発明の実施例にかかる検眼視標投影装置の概略構成を示す図である
【図２】実施例にかかる検眼視標投影装置の外観斜視図である。
【図３】実施例にかかる検眼視標投影装置の部分断面図である。
【図４】実施例にかかる検眼視標投影装置の分解図である。
【図５】実施例にかかる検眼視標投影装置の分解図である。
【図６】実施例にかかる検眼視標投影装置の分解図である。
【図７】実施例にかかる検眼視標投影装置の部分図である。
【図８】実施例にかかる検眼視標投影装置の部分図である。
【図９】実施例にかかる検眼視標投影装置の部分説明図である。
【図１０】実施例にかかる検眼視標投影装置の部分説明図である。
【図１１】実施例にかかる検眼視標投影装置に検眼視標投影用ターゲット板として用いられるターゲット板の説明図である。
【図１２】実施例にかかる検眼視標投影装置に検眼視標投影用ターゲット板として用いられるターゲット板の説明図である。
【図１３】実施例にかかる検眼視標投影装置に検眼視標投影用ターゲット板として用いられるターゲット板の説明図である。
【図１４】実施例にかかる検眼視標投影装置に用いられるマスク板の説明図である。
【図１５】本発明の実施例の変形例の実施例の説明図である。
【図１６】本発明の実施例の変形例の実施例の説明図である。
【図１７】本発明の実施例の変形例の実施例の説明図である。
【図１８】本発明の実施例の変形例の実施例の説明図である。
【符号の説明】
１…光源
２ａ，２ｂ…ミラー
３ａ，３ｂ…コンデンサーレンズ
４…マスク板
５…ターゲット板
６…ミラーユニット
７…対物レンズ
８…スクリーン
【図１】
0003653367.tif 000002
【図２】
0003653367.tif 000003
【図３】
0003653367.tif 000004
【図４】
0003653367.tif 000005
【図５】
0003653367.tif 000006
【図６】
0003653367.tif 000007
【図７】
0003653367.tif 000008
【図８】
0003653367.tif 000009
【図９】
0003653367.tif 000010
【図１０】
0003653367.tif 000011
【図１１】
0003653367.tif 000012
【図１２】
0003653367.tif 000013
【図１３】
0003653367.tif 000014
【図１４】
0003653367.tif 000015
【図１５】
0003653367.tif 000016
【図１６】
0003653367.tif 000017
【図１７】
0003653367.tif 000018
【図１８】
0003653367.tif 000019